(57)【特許請求の範囲】
【請求項１】
グリル庫の左右内壁に、前後方向に長手の下火バーナを固定する構造において、下火バーナの前端に前方に突出する板状の係合突起を形成すると共に、グリル庫の両側内壁から、該係合突起が挿入される係合穴が開設された保持片を突設させる一方、グリル庫の他の構成部材の一部を押さえ部に形成して、該他の構成部材を取り付ける際に該他の構成部材の押さえ部で係合突起を係合穴の周縁の一側に押接させて下火バーナを固定するようにしたことを特徴とするグリル庫の下火バーナ固定構造。
【請求項２】
上記他の構成部材は、上記保持片に固定され、下火バーナへの二次空気の流れを整流する整流板であることを特徴とする請求項１記載のグリル庫の下火バーナ固定構造。
【請求項３】
上記他の構成部材は、グリル庫の開口部周縁を囲む額縁状の枠部材であることを特徴とする請求項１記載のグリル庫の下火バーナ固定構造。
【発明の詳細な説明】
【０００１】
【発明の属する技術分野】
本発明は、グリル庫の左右内壁に、前後方向に長手の下火バーナを固定する構造に関する。
【０００２】
【従来の技術】
従来のこの種の構造として、例えば実開昭３−４６７２９号公報により、下火バーナの前端に前方に突出する、互いに平行な３個の板状の係合突起を形成すると共に、グリル庫の両側内壁から、該係合突起が挿入される係合穴が開設された保持片を突設させ、３個の傾向突起を係合穴に挿入した状態で中間の１個の係合突起をねじって係合穴内で係合突起がガタつかないように下火バーナを固定する構造が知られている。
【０００３】
【発明が解決しようとする課題】
上記従来の固定構造では、係合突起をねじって固定するので各係合突起は係合穴の一側に押接させるのではなく、係合突起と係合穴とのクリアランスのため係合穴内で若干ではあるが本来の固定状態に対して傾いて固定される場合が生じ、固定状態が一定しない。下火バーナはグリル庫の左右からグリル庫内に均一に熱気を分布させる必要があり、そのためたとえ若干であっても固定される角度がばらつくとグリル庫毎に熱気の分布状態が相違することになる。尚、専用の部品を設けて係合突起を係合穴の一側に押接させるようにすればこのような不具合は生じないが、部品点数が増えるため採用できない。
【０００４】
そこで本発明は、上記の問題点に鑑み、部品点数を増加させることなく下火バーナを本来の固定状態に対して傾けずに一定した固定状態で固定し得る構造を提供することを課題とする。
【０００５】
【課題を解決するための手段】
上記課題を解決するために本発明は、グリル庫の左右内壁に、前後方向に長手の下火バーナを固定する構造において、下火バーナの前端に前方に突出する板状の係合突起を形成すると共に、グリル庫の両側内壁から、該係合突起が挿入される係合穴が開設された保持片を突設させる一方、グリル庫の他の構成部材の一部を押さえ部に形成して、該他の構成部材を取り付ける際に該他の構成部材の押さえ部で係合突起を係合穴の周縁の一側に押接させて下火バーナを固定するようにしたことを特徴とする。
【０００６】
グリル庫には下火バーナの他に、整流板や枠部材があり、これらの構成部材は必ず取り付けなければならない。そこで、これらの構成部材で係合突起を押さえ、係合穴の一側に押接させれば専用の部品を設けなくても下火バーナを傾けることなく固定できる。
【０００７】
【発明の実施の形態】
図１を参照して、１はグリル庫の外壁を形成するグリルケースであり、ガステーブルに固定される。グリルケース１の奥に取り付けられた奥板１１のフランジ１２とグリルケース１の左右前端を内側に折り曲げて形成した１対の保持片１３との３カ所でＵ字状の下火バーナ２をグリルケース１に保持させている。下火バーナ２には、後端部分にフランジ１２にねじ止めするための穴２１が開設され、先端部分に保持片１３に開設された横長のスリット状の係合穴１４に挿通される板状の係合突起２２が突設されている。従って、先ず係合突起２２を係合穴１４内に挿入した後でフランジ１２に載せ、下火バーナ２を固定する。但しそのままでは下火バーナ２の左右両先端は係合突起２２が係合穴１４内で上下方向にガタついて固定されていない。
【０００８】
一方、グリルケース１の左右側壁には下火バーナ用の燃焼用二次空気を導入するために下火バーナ２に沿って前後方向に長手の空気取り入れ口１５が開設されている。該空気取り入れ口１５から取り入れられる空気は燃焼用二次空気としてだけではなく下火バーナ２の炎をグリル庫の中央まで到達させる役割がある。従って、取り込んだ空気を整流するため整流板３を取り付ける必要がある。整流板３は上縁の前後方向２カ所に爪片３１が形成されており、グリルケース１の両側壁に開設された角穴１６に爪片３１を挿入する。また、整流板３の前端には壁部３２が形成されており、角穴１６に爪片３１を挿入し後方へ整流板３をずらすことによって爪片３１をグリルケース１の外側面に係合させると、壁部３２が保持片１３に当接する。ところで、本発明では図２に示すように係合穴１４の高さ寸法Ｈを係合突起２２の厚み寸法Ｅより寸法Ｄ長くなるように形成し、かつ壁部３２の下方に押さえ部３３を形成した。該押さえ部３３の両側を後方に折り曲げて高さが寸法Ｄの押さえ片３４を形成しており、整流板３を後方にずらして壁部３２を保持片１３に当接させる際に押さえ片３４が係合突起２２の上面と係合穴１４の上縁との間に嵌り、係合片２２を係合穴１４の一側である下縁に押接させるようにした。そしてその状態で壁部３２を保持片１３にねじＮでねじ止めすると整流板３が固定され、かつ同時に下火バーナ２の先端部分が、係合突起２２が係合穴１４の下縁に押接されて固定される。そして係合突起２２の全幅にわたって係合穴１４の下縁が密接するのでその固定により下火バーナ２が傾くことはない。尚、Ｆは下火バーナ２の炎の方向を示し、Ａは空気取り入れ口から取り込んだ空気の流れ方向を示す。また、押さえ片３４をくさび状に成形し、基部の高さ寸法をＤより若干大きくすることにより、係合穴１４の下縁に対して係合突起２２をより大きな押接力で押接させることができる。
【０００９】
ところで、図３及び図４に示すように、グリルケース１が外壁を形成するグリル庫ＧはガステーブルＴの中央に取り付けられた状態で、前方からグリル庫Ｇの開口部周縁を囲む額縁状の枠部材４が取り付けられる。該枠部材４の左右両内縁から腕部４１が突設されており、枠部材４がグリル庫Ｇに取り付けられた状態で保持片１３を隠すようにしている。このように、枠部材４を取り付けるものでは腕部４１の下面４２によって係合突起２２の上面を押さえ、該係合突起２２を係合穴１４の下縁に押接させるようにしてもよい。
【００１０】
上記図１及び図２に示した実施の形態では押さえ部３３に押さえ片３４を形成し、該押さえ片３４を係合穴１４に挿入したが、図３及び図４に示した実施の形態のものについても同様に下面４２から後方に押さえ片３４と同様の突起を形成して係合穴内に挿入してもよい。逆に、上記図１及び図２に示したもので、押さえ片３４を設けず押さえ部３３の下縁で係合片２２を上方から押さえるようにしてもよい。
【００１１】
ところで、上記各実施の形態共に、係合片２２を係合穴１４の下縁に押し付けたが、例えば押さえ片３４を係合片２２の下側に挿入して係合片２２を係合穴１４の上縁に押接させてもよい。また、係合片２２の水平方向の位置決めは係合穴１４の側縁により行う。このように、下火バーナ２は傾かなければ水平方向に多少ずれても不具合はないので、係合片２２を係合穴１４の側縁の一方に押接させる必要はない。
【００１２】
【発明の効果】
以上の説明から明らかなように、本発明は、下火バーナをグリル庫内に取り付ける際に、取り付けのための専用の金具等を設けなくても、下火バーナを傾けずに固定することができる。
【図面の簡単な説明】
【図１】本発明の一実施の形態の構成を示す図
【図２】  II矢視図
【図３】本発明の他の実施の形態の構成を示す図
【図４】腕部４１近傍を示す拡大図
【符号の説明】
１  グリルケース
２  下火バーナ
３  整流板
４  枠部材
３４  押さえ片
【図１】
0003691617.tif 000002
【図２】
0003691617.tif 000003
【図３】
0003691617.tif 000004
【図４】
0003691617.tif 000005